(57)【要約】      （修正有）【課題】目視出来ない状態で、食器に注ぐ液体などの注量を知ることにより、食器の内容物が溢れる事を防ぎ、火傷や落下を防止し事故を防ぐことができる食器を提供する。【解決手段】食器１の胴部や腰部に、くぼみ部、彫り部、又は胴部から腰部に続く溝部、からなる凹部２を施し、食器１の厚みを薄くする。薄くなった部分を刺激に敏感な指先で触り、注ぐ液体などの注量を指先の触覚により食器１内の液体などの内容物の注量を知る。【選択図】図１
0003215952.tif 000002
【実用新案登録請求の範囲】
【請求項１】
食器の胴部や腰部に、食器の厚みよりも薄くした凹部（２）を設け、その凹部（２）を指先で触る事により、食器に液体などを注ぐ際に、指先から伝わる触覚の変化により液体などの注量を判別する事ができることを特徴とする食器。
【請求項２】
前記凹部（２）は、前記食器（１）の胴部や腰部に複数個設けた事を特徴とする請求項１に記載の食器。
【請求項３】
前記凹部（２）をくぼみ部（３）とした事を特徴とする請求項１又は２に記載の食器。
【請求項４】
前記凹部（２）を彫り部（４）とした事を特徴とする請求項１又は２に記載の食器。
【請求項５】
前記凹部（２）を溝部（５，６）とした事を特徴とする請求項１又は２に記載の食器。
【請求項６】
前記食器（１）の素材を金属、陶器、セラミック、ガラス、ボーンチャイナ、プラスチック、漆器、木材、石、紙、骨、角のいずれか１種類を使用する事を特徴とする請求項１〜５のいずれか１項に記載の食器。
【考案の詳細な説明】
【技術分野】
【０００１】本考案は、食器に注ぐ液体などの注量を指先の触覚で知る事が出来る食器。
【背景技術】
【０００２】食器の一部にくぼみを設け、過量に注いだ調味料等を前記くぼみに溜まるようにした食器は公知である。（特開平１０−８５１１３）しかし本考案は、食器の一部に凹部を設け、目視出来ない視覚障害者の人や、暗闇において食器に注ぐ液体などの注量を指先の触覚で知る事が可能な食器である。
【先行技術文献】
【特許文献】
【０００３】
【特許文献１】特開平１０−８５１１３
【考案の概要】
【考案が解決しようとする課題】
【０００４】目視出来ない状態で、食器に注ぐ液体などの注量を知る事により、食器の内容物が溢れるのを防ぎ、火傷や落下を防止し事故を防ぐ事を課題とする。
【課題を解決するための手段】
【０００５】食器の胴部や腰部に、食器の厚みよりも薄くした凹部を設け、その凹部を指先で触る事により、食器に液体などを注ぐ際に、指先から伝わる触覚の変化により、液体などの注量を判別する事ができる。
又、食器の胴部や腰部に１個もしくは複数個の凹部を設けて、注量を判別する事もできる。
食器の胴部や腰部にくぼみ部を設け、そのくぼみ部を指先で触る事により、食器に液体などを注ぐ際に、指先から伝わる触覚の変化により液体などの注量を判別する事ができることを特徴とする。【０００６】前記くぼみ部は、前記食器の胴部や腰部に複数個設けた事を特徴とする。そして、前記食器の胴部や腰部に、彫り部を設け、その彫り部を指先で触る事により、食器に液体などを注ぐ際に、指先から伝わる触覚の変化により液体などの注量を判別する事ができるものである。
又、前記食器の胴部や腰部に、溝部を設け、その溝部を指先で触る事により、食器に液体などを注ぐ際に、指先から伝わる触覚の変化により液体などの注量を判別する事ができるものである。【０００７】前記食器の素材を金属、陶器、セラミック、ガラス、ボーンチャイナ（動物の骨を混入した陶土）、プラスチック、漆器、木材、石、紙、骨、角のいずれか１種類を使用するものである。
【考案の効果】
【０００８】目視出来ない状況に置いて、食器に注ぐ液体などの注量を指先の触覚で確実に知り、その注量を指先の触覚にて任意の位置を判別出来るため、その結果、液体などが溢れ出す前に注ぐ事を中止する事が可能となり、食器に注ぐ液体などが溢れる事による火傷、溢れた事に驚き食器を落下させるなどの事故を防ぐ事が出来る効果を得る。
【図面の簡単な説明】
【０００９】
【図１】本考案の食器の斜視図である。（くぼみ部）
【図２】図１のＡ部拡大図である。
【図３】本考案の食器の断面図である。（くぼみ部）
【図４】本考案の食器の他の実施例を示す図である。（彫り部）
【図５】本考案の食器の他の実施例を示す断面図である。（彫り部）
【図６】本考案の食器の他の実施例を示す図である。（縦溝）
【図７】本考案の食器の他の実施例を示す図である。（らせん溝）
【図８】本考案の食器の使用状態を示す図である。
【考案を実施するための形態】
【００１０】食器の胴部に複数個、もしくは１つの凹部やくぼみや彫り部、又は、溝部を設け、該凹部やくぼみ部や彫り部、又は、溝部を食器本体の厚みよりも薄く形成する。
該凹部やくぼみ部や彫り部、又は、溝部に指を当接して食器を保持し、熱湯〜冷却水の液体を食器に注げば、指先の敏感な神経により、食器内の液体を検知できるようにしたものである。
【実施例】
【００１１】以下、本考案の実施例として、湯呑みについて図面に基づいて説明する。
図１は本考案の食器１の斜視図であり、符号２は該食器１の胴部や腰部に設けた凹部２である。該凹部２は該食器１の胴部や腰部に複数個設けている。該凹部２の位置は該食器１を持った状態で、指先が当接する位置としている。【００１２】図２は図１のＡ部の拡大図である。本考案の食器１の凹部２であり、前記凹部２の厚みは食器１の本部部の厚みより薄く構成している。【００１３】図３は本考案の食器１の縦断面図であり、前記くぼみ部３の厚みは食器１の本体部の厚みより薄く構成している。【００１４】図４は本考案の食器の他の実施例として、湯呑みについて図面に基づいて説明する。図４は本考案の食器１の斜視図であり、符号４は該食器１の胴部や腰部に設けた彫り部４である。該彫り部４は該食器１の胴部や腰部に複数個設けている。該彫り部４の位置は該食器１を持った状態で、指先が当接する位置としている。【００１５】図５は本考案の食器１の他の実施例の縦断面図であり、前記彫り部４の厚みは食器１の胴部の厚みよりも薄く構成している。【００１６】図６は本考案の食器１の他の実施例の斜視図であり、符号５は該食器１の胴部や腰部の設けた縦形状の溝部５である。該溝部５は該食器１の胴部や腰部に１本設けている。該溝部５の位置は該食器１を持った状態で、指先が当接する位置としている。前記溝部５の厚みは食器１の胴部の厚みよりも薄く構成している。本実施例では、溝部５を１本設けているが、複数本設けても問題なく使用できることは勿論である。【００１７】図７は本考案の食器１の他の実施例の斜視図であり、符号６は該食器１の胴部や腰部に設けたらせん状の溝部６である。該溝部６は該食器１の胴部や腰部に１本設けている。該溝部６の位置は該食器１を持った状態で、指先が当接する位置としている。前記溝部６の厚みは食器１の胴部の厚みよりも薄く構成している。本実施例では、溝部５を１本設けているが、複数本設けても問題なく使用できることは勿論である。【００１８】図８は本考案の食器１の他の実施例の図である。食器の胴部に１個、又は、複数の凹部２に指を当接して食器を保持し、熱湯〜冷却水を食器に注げば、指先の敏感な神経により、食器内の液位を検知する事ができるようにしたものである。
【産業上の利用可能性】
【００１９】視覚障害者の人や、暗闇において目視出来ない状況に置いて、食器に注ぐ液体などの注量を指先の触覚で確実に知り、その注量を指先の触覚にて任意の位置を判別出来るため、その結果、食器に注ぐ液体などが溢れ出す前に注ぐ事を中止する事が可能となり、溢れる事による火傷、溢れた事に驚き食器を落下させるなどの事故を防ぐ事が出来る効果を得る。
【符号の説明】
【００２０】１  食器
２  凹部
３  くぼみ部
４  彫り部
５  溝部（縦）
６  溝部（らせん）
【図１】
0003215952.tif 000003
【図２】
0003215952.tif 000004
【図３】
0003215952.tif 000005
【図４】
0003215952.tif 000006
【図５】
0003215952.tif 000007
【図６】
0003215952.tif 000008
【図７】
0003215952.tif 000009
【図８】
0003215952.tif 000010